(57)【要約】  現在の開示の幾つかの態様は、ＴＩＭセグメンテーション（ページスライシング）をサポートする局及びサポートしない局に対してトラフィック指示マップ（ＴＩＭ）情報要素（ＩＥ）を生成する方法を提供する。方法は、一般にＩＥを生成すること及びＩＥがセグメンテーションをサポートする機器のためにあるか否かの指示を提供することを含む。  【選択図】図１
2017507514.tif 000002
【特許請求の範囲】
【請求項１】
無電通信のための装置であって、
情報要素（ＩＥ）を生成することと、
ＩＥがセグメンテーションをサポートする機器のためであるか否かの指示を提供することと、
を行うように構成された処理システムを備える、装置。
【請求項２】
前記ＩＥはトラフィック指示マップ（ＴＩＭ）ＩＥである、請求項１に記載の装置。
【請求項３】
前記指示は前記ＴＩＭ  ＩＥのＰａｇｅ  Ｓｌｉｃｅ  Ｎｕｍｂｅｒフィールドの１つ以上のビットシーケンスを介して提供される、請求項２に記載の装置。
【請求項４】
１つ以上ビットシーケンスが全ての０又は全ての１のうちの少なくとも１つを備える、請求項３に記載の装置。
【請求項５】
前記指示が前記ＩＥのフィールドの１つ以上のビットシーケンスを介して提供される、請求項１に記載の装置。
【請求項６】
前記処理システムが、
前記ＩＥがセグメンテーションをサポートしない機器のためであることを示すために１つ以上ビットシーケンスのうちの１つにフィールドの１ビットシーケンスを設定すること、
又は、ＩＥがセグメンテーションをサポートする機器のためであることを示すために前記１つ以上ビットシーケンス以外の値に前記フィールドのビットシーケンスを設定すること、
を行うように構成される、請求項５に記載の装置。
【請求項７】
前記処理システムが、
前記ＩＥがセグメンテーションをサポートしない機器のためであることを示すために前記１つ以上のビットシーケンスのうちの１つに前記フィールドのビットシーケンスを設定するように構成される、請求項６に記載の装置。
【請求項８】
前記指示が前記ＩＥのフォーマットタイプを介して提供され、
第１のフォーマットタイプは、前記ＩＥがセグメンテーションをサポートしない機器のためであることを示し、又は
第２のフォーマットタイプは、前記ＩＥがセグメンテーションをサポートする機器のためであることを示す、請求項１に記載の装置。
【請求項９】
前記指示が前記ＩＥの１つ以上のフラグビットを介して提供される、請求項１に記載の装置。
【請求項１０】
前記指示は、前記ＩＥが装置によって送信されるビーコンで生じる順序を介して提供される請求項１に記載の装置。
【請求項１１】
前記処理システムは、
前記ＩＥが、前記ビーコンの他のＩＥの前にＩＥを配置することによってセグメンテーションをサポートしない機器のためであることを示すように構成される、請求項１０に記載の装置。
【請求項１２】
無線通信のための方法であって、
情報要素（ＩＥ）を生成することと、
前記ＩＥがセグメンテーションをサポートする局のためであるか否かの指示を提供することと、
を備える、方法。
【請求項１３】
前記ＩＥはトラフィック指示マップ（ＴＩＭ）ＩＥである、請求項１２に記載の方法。
【請求項１４】
前記指示は前記ＴＩＭ  ＩＥのＰａｇｅ  Ｓｌｉｃｅ  Ｎｕｍｂｅｒフィールドの１つ以上のビットシーケンスを介して提供される、請求項１３に記載の方法。
【請求項１５】
前記ＩＥがセグメンテーションをサポートしない機器のためであることを示すために１つ以上ビットシーケンスのうちの１つにフィールドの１ビットシーケンスを設定すること、
又は、ＩＥがセグメンテーションをサポートする機器のためであることを示すために前記１つ以上ビットシーケンス以外の値に前記フィールドのビットシーケンスを設定すること、
を備える、請求項１４に記載の方法。
【請求項１６】
無線通信のための装置であって、
情報要素（ＩＥ）を生成することと、
前記ＩＥがセグメンテーションをサポートする機器のためであるか否かを決定することと、
を行うように構成された処理システムを備える、装置。
【請求項１７】
前記ＩＥはトラフィック指示マップ（ＴＩＭ）ＩＥであり、前記決定がＰａｇｅ  Ｓｌｉｃｅ  Ｎｕｍｂｅｒフィールドの１つ以上のビットシーケンスに基づく、請求項１６に記載の装置。
【請求項１８】
前記１つ以上ビットシーケンスが全ての０又は全ての１の少なくとも１つを備え、前記決定が、前記ＩＥがセグメンテーションをサポートする機器のためでないと決定することを備える、請求項１７に記載の装置。
【請求項１９】
前記決定が前記ＩＥのフィールドが前記装置によって知られている１つ以上のビットシーケンスにセットされるか否かに基づいている、請求項１５に記載の装置。
【請求項２０】
前記処理システムは、
前記フィールドのビットシーケンスが前記１つ以上の予約されたビットシーケンスの１つに設定される場合、前記ＩＥがセグメンテーションをサポートしない機器のためであることを決定すること
又は、ＩＥがセグメンテーションをサポートする機器のためであることを示すために前記１つ以上ビットシーケンス以外の値に前記フィールドのビットシーケンスを設定すること、
を行うように構成される、請求項１に記載の装置。
【請求項２１】
前記処理システムは、
前記ＩＥがセグメンテーションをサポートしない機器のためにあって、前記フィールドのビットシーケンスが１つ以上の予約されたビットシーケンスのうちの１つに設定される場合、セグメンテーションをサポートする機器のサブセットのための情報を含むと決定するように構成される、請求項２０に記載の装置。
【請求項２２】
前記処理システムは、前記ＩＥがセグメンテーションをサポートしない機器のためのあると決定される場合であっても、前記ＩＥを処理するように構成される、請求項１６に記載の装置。
【請求項２３】
前記決定は前記ＩＥのフォーマットタイプに基づいており、
第１のフォーマットタイプは、前記ＩＥがセグメンテーションをサポートしない機器のためであることを示し、
又は、第２のフォーマットタイプは、前記ＩＥがセグメンテーションをサポートする機器のためであることを示す、請求項１６に記載の装置。
【請求項２４】
前記決定が前記ＩＥの１つ以上のフラグビットに基づく、請求項１６に記載の装置。
【請求項２５】
前記ＩＥを備えるビーコンを取得し、前記決定は前記ＩＥが前記装置によって取得されたビーコンに生じる順序に基づいている、請求項１６に記載の装置。
【請求項２６】
前記ＩＥが前記ビーコンの他のＩＥの前に生じる場合、セグメンテーションをサポートしない機器のためであると決定するように構成される、請求項２３に記載の装置。
【請求項２７】
ワイヤレス通信のための方法であって、
情報要素（ＩＥ）を生成することと、
前記ＩＥがセグメンテーションをサポートする局のためであるか否かを決定することと、
を備える、方法。
【請求項２８】
前記ＩＥはトラフィック指示マップ（ＴＩＭ）ＩＥであり、前記決定することが前記ＴＩＭ  ＩＥのＰａｇｅ  Ｓｌｉｃｅ  Ｎｕｍｂｅｒフィールドの１つ以上のビットシーケンスに基づく、請求項２７に記載の装置。
【請求項２９】
前記フィールドのビットシーケンスが１つ以上の予約されたビットシーケンスのうちの１つに設定される場合、前記ＩＥは、セグメンテーションをサポートしない機器のためにあると決定すること、
又は前記フィールドのビットシーケンスが前記１つ以上の予約されたビットシーケンス以外の値に設定される場合に、前記ＩＥが、セグメンテーションをサポートする機器のためにあると決定すること
を備える、請求項２８に記載の方法。
【請求項３０】
前記ＩＥがセグメンテーションをサポートしない機器のためであると決定される場合であっても、前記ＩＥを処理することを更に備える、請求項２７に記載の方法。
【発明の詳細な説明】
【関連出願の相互参照】
【０００１】
[0001]  本出願請求項は、２０１３年１２月２０日に出願された米国仮特許出願第６１／９１９，６９１号及び２０１４年９月１５日に出願された米国特許出願第１４／４８６，８０１号の利益を主張するものであり、それの内容全体がここにおける引用によって組み入れられている。
【技術分野】
【０００２】
[0002]  現在の開示の幾つかの態様は、一般にワイヤレス通信に関し、特に、セグメンテーションをサポートするステーション及びサポートしないステーションによって復号し得る情報要素（ＩＥ）を生成することに関する。
【背景技術】
【０００３】
[0003]ワイヤレス通信ネットワークは、音声、映像、パケットデータ、メッセージング、ブロードキャスト、等のような様々な通信サービスを提供するために広く展開されている。これらのワイヤレスネットワークは、利用可能なネットワークリソースを共有することによって多数のユーザをサポートすることが可能である多元接続ネットワークでありうる。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、及びシングルキャリアＦＤＭＡ（ＳＣ−ＦＤＭＡ）ネットワークを含む。
【０００４】
[0004 ]より大きな範囲及び増加する通信範囲に対する欲求に対処するために、さまざまな計画が展開されている。そのような計画の１つは、米国電気電子技術者協会（ＩＥＥＥ）８０２．１１ａｈ特別委員会によって展開されているサブ１ＧＨｚ周波数範囲（例えば、米国の９０２−９２８ＭＨｚの範囲でどうさすること）である。この展開は、他のＩＥＥＥ  ８０２．１１グループよりも大きな無線範囲を有し、より低い障害損失を有する周波数範囲を利用したいという願望によって推進される。
【発明の概要】
【０００５】
[0005]  本発明のシステム、方法、及び機器は、幾つかの態様を各々有し、これらのうち、それの望ましい属性（attribute）に対して全責任を負っているものは１つとしてない。続く特許請求の範囲によって表されるこの発明の範囲を限定することなく、幾つかの特徴が、これから簡潔に論述されることとなる。この論考を考慮した後、特に「発明を実施するための形態」と題されたセクションを読んだ後、当業者は、どのようにこの発明の特徴がワイヤレスネットワークにおけるアクセスポイントと局（ステーション）との間の改善された通信を含む利点を提供するかを理解するだろう。
【０００６】
[0006]  本開示のある態様は、ワイヤレス通信のための装置を提供する。装置は、一般に情報要素（ＩＥ）を生成し、ＩＥがセグメンテーションをサポートする機器のためであるか否かの指示を提供するように構成される処理システムを含む。
【０００７】
[0007]  本開示のある特定の態様は、ワイヤレス通信のための方法を提供する。方法は例えば、アクセスポイント（ＡＰ）によって実行されることができる。方法は、一般に情報要素を生成すること及びＩＥがセグメンテーションをサポートする機器のためにあるか否かの指示を提供することを含む。
【０００８】
[0008]  本開示のある態様は、ワイヤレス通信のための装置を提供する。装置は、一般に情報要素を生成するための手段及びＩＥがセグメンテーションをサポートする機器のためにあるか否かの指示を提供するための手段を含む。
【０００９】
[0009]  本開示のある特定の態様は、ワイヤレス通信のためのコンピュータプログラム製品を提供する。コンピュータプログラム製品は、命令を記憶したコンピュータ可読媒体を含み、命令は情報要素を生成し、ＩＥがセグメンテーションをサポートする局のためにあるか否かの指示を提供するための装置によって実行できる。
【００１０】
[0010]  本開示のある態様は、ワイヤレス通信のための装置を提供する。装置は、一般に情報要素を得て、ＩＥがセグメンテーションをサポートする機器のためにあるか否かを決定するように構成される処理システムを含む。
【００１１】
[0011]  本開示のある特定の態様は、ワイヤレス通信のための方法を提供する。その方法は、例えば、基地局によって実行されうる。方法は、一般に情報要素を取得すること及びＩＥがセグメンテーションをサポートする機器のためにあるか否かを決定することを含む。
【００１２】
[0012]  本開示のある態様は、ワイヤレス通信のための装置を提供する。装置は、一般に情報要素を取得するための手段及びＩＥがセグメンテーションをサポートする機器のためにあるか否かを決定するための手段を含む。
【００１３】
[0013］  本開示のある特定の態様は、ワイヤレス通信のためのコンピュータプログラム製品を提供する。コンピュータプログラム製品は、命令を記憶したコンピュータ可読媒体を含み、命令は情報要素を取得し、ＩＥがセグメンテーションをサポートする機器のためにあるか否かを決定する装置によって実行できる。
【００１４】
[0014]  上述した本開示の特徴を詳細に理解できるように、上記では簡潔に概要を述べた、より具体的な説明が、その幾つかが付属の図面に示されている実施形態を参照することにより、行われる。しかしながら、添付された図面は、本開示のある特定の典型的な態様のみを例示しており、従って、その説明が他の同等に効果的な態様を認めうることから、その範囲を限定するものと考慮されるべきではないことに留意されたい。
【図面の簡単な説明】
【００１５】
【図１】[0015]図１は、本開示のある特定の態様に従った例示的な無線通信ネットワークの図である。
【図２】[0016]図２は、本開示のある特定の態様従った、例示的なアクセスポイント及びユーザ端末のブロック図である。
【図３】[0017]図３は、本開示のある特定の態様に従った、例示的な無線機器のブロック図である。
【図４】[0018]図４は、本開示のある特定の態様に従った、ＤＴＩＭビーコンインターバル内におけるページセグメンテーションの例を示す。
【図５】[0019]図５は、本開示のある特定の態様に従った、ＭＵ−ＭＩＭＯのための例示的なシーケンシャルＣＳＩフィードバック・プロトコル・シーケンスを示す。
【図６】[0020]図６は、本開示の幾つかの態様に従った、ＴＩＭセグメント番号フィールド（そのようなセグメンテーションは時にはページスライシングと呼ばれ、セグメント番号はページスライス番号と呼ばれる）と共に一例のトラフィック指示マップ（ＴＩＭ）情報要素（ＩＥ）を示す。
【図７】[0021]図７は、本開示の幾つかの態様に従った、例示的なＴＩＭセグメンテーション（ページスライシング）を示す。
【図８】[0022]図８は、現在の開示の幾つかの態様に従った、無線機器によって実行されることができる例示的な動作を示す。
【図８Ａ】[0023]図８Ａは、図８に示される動作を実行することができる例示的な手段を示す。
【図９】[0024]図９は、本開示の幾つかの態様に従った、ワイヤレス機器によって実行されうる例示的な動作を示す。
【図９Ａ】[0025]図９Ａは、図９に示した動作を実行することができる例示的な手段を示す。
【発明を実施するための形態】
【００１６】
[0026]  局が大抵の時、低消費電力状態（例えば、スリープ状態）にあるシステムでは、ＩＥがどのシステムがトラフィックを有するかを示すＴＩＭ情報を備えることができ、故にそのトラフィックを受信するため低電力状態を抜け出さなくてはならない。ＴＩＭ情報は、例えば、ビットマップとして、対応する局がトラフィックを有するか否かを示す各ビットを提供できる。多数の局がサポートされることができるので、ビットマップのサイズは大きくてもよく、単一の大きいビットマップを送信することと関連するオーバヘッドを減らすために、ビットマップはより小さいビットマップに分割される（スライスされる）ことができる。各々のセグメント又はスライスは関連するセグメント番号を有することができ、それはセグメンテーション（又はスライシング）をサポートする局のための有用な情報を含むことができるが、セグメンテーションをサポートしない局のための有用な情報を含むことができない。現在の開示の態様は、ＩＥがセグメンテーションをサポートするか又はしない局を意図しているか否かを指示するＩＥを生成することを提供し、それはセグメンテーションをサポートする、又はサポートしない機器との通信のためのページセグメンテーションの使用を許容することができる。
【００１７】
[0027]  本開示の態様は、ＩＥがセグメンテーションをサポートする局のために意図されているか否かを示すＩＥを生成する方法を提供する。
【００１８】
[0028]  本開示の種々の態様は、添付の図面を参照して以下により十分に説明される。しかしながら、本開示は、多くの異なる形態で具現化されることがあり得、この開示全体を通して提示されるいずれの指定の構成（structure）又は機能にも限定されるものと解釈されるべきではない。むしろ、これらの態様は、本開示を徹底的かつ完全なものとし、本開示の範囲を当業者に十分に伝達するように提供される。本明細書における教示に基づき、当業者は、ここに開示された開示の任意の態様が、本開示の他のなんらかの態様と独立してインプリメントされようと、それらと組み合わされて実現されようと、本開示の範囲は、それらの態様をカバーすることを意図しているということを理解すべきである。例えば、本明細書に記載の任意の数の態様を使用して、装置が実現され得、又は方法が実現され得る。加えて、本開示の範囲は、他の構成及び機能、即ち、ここに説明された開示のさまざまな態様に加えた構成及び機能又はそれらの態様以外の構成及び機能を使用して実現された、そのような装置又は方法をカバーすることを意図している。ここに開示された開示の任意の態様は、請求項に記載された１つ以上の要素によって具現化され得ることが理解されるべきである。
【００１９】
[0029]  特定の観点はここに記載されたが、これらの観点の多くの変形及び置換は本開示の範囲内にある。好ましい態様の幾つかの恩恵及び利点が説明されるが、本開示の範囲は、特定の恩恵、使用、又は目的に限定されることを意図しない。そうではなく、本開示の態様は、異なる無線技術、システム構成、ネットワーク、及び伝送プロトコルに広く適用可能であることが意図され、そのうちの幾つかは、図面及び好ましい態様の下記の説明において、例として示される。詳細な説明及び図面は単に、限定というよりはむしろ本開示の例示であり、本開示の範囲は、添付された特許請求の範囲及びそれらの同等物によって定義されている。
【００２０】
例示的なワイヤレス通信システム
[0030]  本明細書に説明される技術は、直交多重スキームに基づく通信システムを含む、さまざまな広帯域無線通信システムのために使用されることができる。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システム、等が含まれる。ＳＤＭＡシステムは、異なる方向を効率よく利用して、複数のユーザ端末に属するデータを同時に送信することができる。ＴＤＭＡシステムは、各タイム・スロットに異なるユーザ端末が割り当てられている異なるタイム・スロットに、送信信号を分割することにより、複数のユーザ端末に同一の周波数チャネルを共有させることを可能にし得る。ＯＦＤＭＡシステムは、システム帯域幅全体を複数の直交サブキャリアに分割する変調技法である、直交周波数分割多重（ＯＦＤＭ）を利用する。これらサブキャリアは、トーン、ビン、などと呼ばれ得る。ＯＦＤＭを用いることにより、各サブキャリアがデータと共に独立して変調されることができる。ＳＣ−ＦＤＭＡシステムは、システム帯域幅にわたって分散されたサブキャリアで送信するためにインターリーブ化ＦＤＭＡ（ＩＦＤＭＡ）を利用し、隣接サブキャリアの１つのブロックで送信するためにローカライズドＦＤＭＡ（ＬＦＤＭＡ）を利用し、又は、隣接サブキャリアの複数のブロックで送信するために拡張ＦＤＭＡ（ＥＦＤＭＡ）を利用しうる。一般に、変調シンボルは、ＯＦＤＭでは周波数領域で、及びＳＣ−ＦＤＭＡでは時間領域で送られる。
【００２１】
[0031]  本明細書における教示は、さまざまな有線装置又は無線装置（例えば、ノード）に組み込まれ得る（例えば、それらの中で実現される、又はそれらによって実行される）。幾つかの態様では、本明細書における教示に従って実現された無線ノードは、アクセスポイント又はアクセス端末を備え得る。
【００２２】
[0032]  ＡＰは、ノードＢ、無線ネットワーク制御装置（ＲＮＣ）、発展型ノードＢ（ｅＮＢ）、基地局制御装置（ＢＳＣ）、基地トランシーバ局（ＢＴＳ）、基地局（ＢＳ）、トランシーバ機能（ＴＦ）、無線ルータ、無線トランシーバ、ベーシック・サービス・セット（ＢＳＳ）、拡張サービス・セット（ＥＳＳ）、無線基地局（ＲＢＳ）、又は何らかの他の専門用語として備え、実現され、又は周知であり得る。
【００２３】
[0033]  アクセス端末（以降「ＡＴ」）は、アクセス端末、加入者局、加入者ユニット、移動局、リモート局、リモート端末、ユーザ端末、ユーザエージェント、ユーザ機器、ユーザ装置、ユーザ局、又は何らかの他の用語として備え、実現され又は周知であり得る。幾つかの実現において、アクセス端末は、セルラ電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルド機器、又はワイヤレスモデムに接続された何らかの他の適した処理機器を備えうる。従って、本明細書で教示される１つ又は複数の態様は、電話（例えば、セルラ電話又はスマートフォン）、コンピュータ（例えば、ラップトップ）、携帯通信機器、携帯コンピューテタ機器（例えば、携帯情報端末）、エンターテイメント機器（例えば、音楽又は映像機器、又は衛星ラジオ）、全地球測位システム機器、又は、有線媒体又は無線媒体を介して通信するように構成された何らかの他の適切な機器に組み込まれ得る。幾つかの態様では、ノードはワイヤレスノードである。そのようなワイヤレスノードは、例えば、有線又は無線通信リンクを介した、ネットワーク（例えば、インターネット又はセルラー・ネットワークのような広域ネットワーク）のための接続、又はネットワークへの接続を提供し得る。
【００２４】
[0034]  図１は、現在の開示の態様が実践されることができるＡＰｓ及びユーザ端末を有する多重アクセス、多重入力多重出力（ＭＩＭＯ）システム１００を示す。簡略化のために、１つのＡＰ１１０が図１に図示されている。アクセスポイントは一般的に、ユーザ端末と通信する固定局であり、基地局又は何らかの他の専門用語で呼ばれる場合もある。ユーザ端末は、固定又は可動であることができ、移動局、無線機器、又は何らかの他の専門用語で呼ばれる場合もある。アクセスポイント１１０は、下りリンク及び上りリンクで、任意の所与の瞬間に１つ以上のユーザ端末１２０と通信することができる。下りリンク（即ち、順方向リンク）は、アクセスポイントからユーザ端末への通信リンクであり、上りリンク（即ち、逆方向リンク）は、ユーザ端末からアクセスポイントへの通信リンクである。ユーザ端末は、別のユーザ端末とピア・ツー・ピアで通信することもできる。システム制御装置１３０は、アクセスポイントに結合し、アクセスポイントのための調整及び制御を提供する。ユーザ端末は、また他のユーザ端末とピア・ツー・ピア通信することができる。システムコントローラ１３０が連結し、ＡＰｓに調整及び制御を提供する。
【００２５】
[0035]  例えば、ＡＰ  １１０は、ＩＥを生成し、ＩＥがここに記載されている技術のためのページスライシング及び／又は他の処理をサポートする機器のためにあるか否かの指示を提供するために図８の動作８００を実行又は指示するように構成されることができる。例えば、ユーザ端末１２０は、ＩＥを受信し、ＩＥがここに記載されている技術のためのページスライシング及び／又は他の処理をサポートする機器のためにあるか否かを決定するために図９の動作８００を実行又は指示するように構成されることができる。
【００２６】
[0036]  下記の開示の一部では、空間分割多元接続（ＳＤＭＡ）によって通信することができるユーザ端末１２０が説明されるが、ある特定の態様では、ユーザ端末１２０はまた、ＳＤＭＡをサポートしない幾つかのユーザ端末を含むこともできる。従って、そのような態様では、ＡＰ１１０は、ＳＤＭＡユーザ端末と非ＳＤＭＡユーザ端末の両方と通信するように構成されることができる。このアプローチは好都合に、ユーザ端末の古いバージョン（「レガシー」局）が企業で発展させ続けることを可能にし、それらの有効な耐用期間を延ばし、しかもより新しいＳＤＭＡユーザ端末がふさわしいと見做されるように導入されることを可能にする。
【００２７】
[0037]  システム１００では、下りリンク及び上りリンクでのデータ伝送のために、複数の送信アンテナ及び複数の受信アンテナが用いられる。ＡＰ１１０は、Ｎap本のアンテナを装備され、ダウンリンク送信のための多入力（ＭＩ）、及びアップリンク送信のための多出力（ＭＯ）を提示する。Ｋ個の選択されたユーザ端末１２０のセットはひとまとめで、下りリンク送信のための多出力と、上りリンク送信のための多入力とを表す。純粋なＳＤＭＡでは、Ｋ個のユーザ端末に対するデータシンボルストリームが、何らかの手段により、コード、周波数又は時間で多重化されていない場合に、Ｎap≧Ｋ≧１を有することが望まれる。データシンボルストリームが、ＴＤＭＡ技法、ＣＤＭＡを用いた異なるコードチャネル、ＯＦＤＭを用いたサブバンドの互いに素な集合、などを使用して、多重化されうる場合に、Ｋは、Ｎapよりも大きいことがある。選択された各々のユーザ端末は、アクセスポイントにユーザ固有のデータを送信し、及び／又はアクセスポイントからユーザ固有のデータを受信する。一般的に、選択された各々のユーザ端末は、１つ又は複数（即ち、Ｎｕｔ≧１）のアンテナを装備し得る。選択されたＫ個のユーザ端末は、同一の又は異なる数のアンテナを有し得る。
【００２８】
[0038]  ＳＤＭＡシステム１００は、時分割複信（ＴＤＤ）システム又は周波数分割複信（ＦＤＤ）システムであることができる。ＴＤＤシステムでは、下りリンクと上りリンクが、同一の周波数帯域を共有する。ＦＤＤシステムでは、下りリンクと上りリンクが、異なる周波数帯域を使用する。ＭＩＭＯシステム１００はまた、送信のために、単一のキャリア又は複数のキャリアも利用することができる。各々のユーザ端末には、（例えば、コストを低く抑えるために）単一のアンテナが、又は（例えば、更なるコストがサポートされ得る場合には）複数のアンテナが装備され得る。ユーザ端末１２０が、各タイム・スロットに異なるユーザ端末１２０に割り当てられている異なるタイム・スロットに、送信／受信を分割することにより、同一の周波数チャネルを共有する場合、システム１００は、ＴＤＭＡシステムであることもできる。
【００２９】
[0039]  図２は、ＭＩＭＯシステム１００における、アクセスポイント１１０、及び２つのユーザ端末１２０ｍ及び１２０ｘのブロック図を示している。ＡＰ１１０は、Ｎt本のアンテナ２２４ａから２２４ａｐを装備されている。ユーザ端末１２０ｍには、Ｎｕｔ，ｍ個のアンテナ２５２ｍａ〜２５２ｍｕが装備されており、ユーザ端末１２０ｘには、Ｎｕｔ，ｘ個のアンテナ２５２ｘａ〜２５２ｘｕが装備されている。ＡＰ１１０は、ダウンリンクでは送信エンティティであり、アップリンクでは受信エンティティである。各ユーザ端末１２０は、上りリンクでは送信エンティティであり、下りリンクでは受信エンティティである。ここで使用されるように、「送信エンティティ」とは、無線チャネルを介してデータを送信することができる、独立して動作する装置又は機器であり、「受信エンティティ」とは、無線チャネルを介してデータを受信することができる、独立して動作する装置又は機器である。下記の説明では、下付きの文字「ｄｎ」は下りリンクを表し、下付きの文字「ｕｐ」は上りリンクを表し、Ｎｕｐ個のユーザ端末が、上りリンクでの同時送信のために選択され、Ｎｄｎ個のユーザ端末が、下りリンクでの同時送信のために選択されるが、Ｎｕｐは、Ｎｄｎと等しいこともできるし、又は等しくないこともでき、ＮｕｐとＮｄｎは、各スケジューリング間隔について、静的な値であることもできるし、又は変化することもできる。ビーム・ステアリング又は何らかの他の空間処理技術が、アクセスポイント及びユーザ端末において使用されることができる。
【００３０】
[0040]  上りリンクでは、上りリンク送信のために選択された各ユーザ端末１２０において、ＴＸデータプロセッサ２８８が、データソース２８６からトラヒック・データを、制御装置２８０から制御データを受け取る。ＴＸデータプロセッサ２８８は、そのユーザ端末のために選択されたレートに関連づけられた符号化及び変調スキームに基づいて、そのユーザ端末のためのトラヒック・データを処理（例えば、符号化、インターリーブ、変調）し、データシンボルストリームを提供する。ＴＸ空間プロセッサ２９０が、そのデータシンボルストリームの空間処理を実行し、Ｎｕｔ，ｍ個のアンテナのためのＮｕｔ，ｍ個の送信シンボルストリームを提供する。各送信機ユニット（ＴＭＴＲ）２５４が、それぞれの送信シンボルストリームを受け取って処理（例えば、アナログ変換、増幅、フィルタリング、周波数アップコンバート）し、上りリンク信号を生成する。Ｎｕｔ，ｍ個の送信機ユニット２５４は、Ｎｕｔ，ｍ個のアンテナ２５２からアクセスポイントへと送信するための、Ｎｕｔ，ｍ個の上りリンク信号を提供する。
【００３１】
[0041]  Ｎｕｐ個のユーザ端末が、上りリンクでの同時送信のためにスケジューリングされることができる。これらのユーザ端末の各々は、そのデータシンボルストリームの空間処理を実行し、その送信シンボルストリームのセットを、アクセスポイントに上りリンクで送信する。
【００３２】
[0042]  ＡＰ１１０では、Ｎap本のアンテナ２２４ａから２２４ａｐが、アップリンク上で送信するＮup個のユーザ端末の全てからのアップリンク信号を受信する。各アンテナ２２４は、受信した信号をそれぞれの受信機ユニット（ＲＣＶＲ）２２２に提供する。各受信機ユニット２２２は、送信機ユニット２５４によって実行された処理と補完的な処理を実行し、受信シンボルストリームを提供する。ＲＸ空間プロセッサ２４０は、Ｎａｐ個の受信機ユニット２２２からのＮａｐ個の受信シンボルストリームに、受信機空間処理を実行し、復元されたＮｕｐ個の上りリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、又は何らかの他の技術に従って実行される。復元された各々の上りリンクデータシンボルストリームは、それぞれのユーザ端末によって送信されたデータシンボルストリームの推定である。ＲＸデータプロセッサ２４２が、復元された各々の上りリンクデータシンボルストリームを、そのストリームのために使用されたレートに従って処理（例えば、復調、デインターリーブ、復号）し、復号されたデータが得られる。各ユーザ端末のための復号されたデータが、記憶のためにデータ・シンク２４４に、及び／又は、更なる処理のために制御装置２３０に、提供されることができる。
【００３３】
[0043]  ダウンリンク上では、ＡＰ１１０において、ＴＸデータプロセッサ２１０は、ダウンリンク送信のためにスケジューリングされたＮdn個のユーザ端末のために、データソース２０８からトラフィックデータを受信し、コントローラ２３０から制御データを受信し、場合によってはスケジューラ２３４から他のデータを受信する。さまざまなタイプのデータが、異なるトランスポート・チャネルで送信され得る。ＴＸデータプロセッサ２１０は、各ユーザ端末のためのトラヒック・データを、そのユーザ端末のために選択されたレートに基づいて処理（例えば、符号化、インターリーブ、変調）する。ＴＸデータプロセッサ２１０は、Ｎｄｎ個のユーザ端末のための、Ｎｄｎ個の下りリンクデータシンボルストリームを提供する。ＴＸ空間プロセッサ２２０は、Ｎｄｎ個の下りリンクデータシンボルストリームの空間処理（例えば、本開示において説明されるプリコーディング又はビームフォーミング）を実行し、Ｎａｐ個のアンテナのためのＮａｐ個の送信シンボルストリームを提供する。各送信機ユニット２２２は、それぞれの送信シンボルストリームを受け取って処理し、下りリンク信号を生成する。Ｎａｐ個の送信機ユニット２２２は、Ｎａｐ個のアンテナ２２４からユーザ端末へと送信するための、Ｎａｐ個の下りリンク信号を提供する。
【００３４】
[0044]  各ユーザ端末１２０において、Ｎｕｔ，ｍ個のアンテナ２５２が、アクセスポイント１１０から、Ｎａｐ個の下りリンク信号を受信する。各受信機ユニット２５４は、関連づけられたアンテナ２５２からの受信信号を処理し、受信シンボルストリームを提供する。ＲＸ空間プロセッサ２６０が、Ｎｕｔ，ｍ個の受信機ユニット２５４からのＮｕｔ，ｍ個の受信シンボルストリームに、受信機空間処理を実行し、そのユーザ端末のための復元された下りリンクデータシンボルストリームを提供する。受信機空間処理は、ＣＣＭＩ、ＭＭＳＥ、又は何らかの他の技術に従って実行される。ＲＸデータプロセッサ２７０が、復元された下りリンクデータシンボルストリームを処理（例えば、復調、デインターリーブ、復号）し、そのユーザ端末のための復号されたデータが得られる。
【００３５】
[0045]  各ユーザ端末１２０において、チャネル推定器２７８が、下りリンクチャネル応答を推定し、下りリンクチャネル推定値を提供するが、下りリンクチャネル推定値は、チャネル利得推定値、ＳＮＲ推定値、雑音分散、等を含み得る。同様に、チャネル推定器２２８が、上りリンクチャネル応答を推定し、上りリンクチャネル推定値を提供する。各ユーザ端末のための制御装置２８０は典型的に、ユーザ端末のための空間フィルタマトリクスを、そのユーザ端末のための下りリンクチャネル応答マトリクスＨｄｎ，ｍに基づいて導出する。制御装置２３０は、アクセスポイントのための空間フィルタマトリクスを、実効上りリンクチャネル応答マトリクスＨｕｐ，ｅｆｆに基づいて導出する。各ユーザ端末のための制御装置２８０は、フィードバック情報（例えば、下りリンク及び／又は上りリンク固有ベクトル、固有値、ＳＮＲ推定値、等）をアクセスポイントに送信することができる。制御装置２３０及び２８０はまた、それぞれ、アクセスポイント１１０及びユーザ端末１２０における、さまざまな処理ユニットの動作を制御する。
【００３６】
[0046]  図３は、無線通信システム１００内で用いられうる無線機器３０２において利用されうる様々なコンポーネントを例示する。ワイヤレス機器３０２は、ＩＥを生成し、ＩＥがセグメンテーション（スライシング）をサポートする局のためであるか否かの指示を提供するように実行され得る図８の動作８００又は、ＩＥを受信し、ＩＥがセグメンテーション（スライシング）をサポートする局のためであるかどうかを決定する図９の動作のようなここに記載されているさまざまな方法を実現するように構成されることができる機器の一例である。無線機器３０２は、アクセスポイント１１０又はユーザ端末１２０であり得る。
【００３７】
[0047]  ワイヤレス機器３０２は、ワイヤレス機器３０２の動作を制御するプロセッサ３０４を含み得る。プロセッサ３０４はまた、中央処理装置（ＣＰＵ）と呼ばれ得る。読み取り専用メモリ（ＲＯＭ）とランダムアクセスメモリ（ＲＡＭ）の両方を含みうるメモリ３０６は、プロセッサ３０４に命令及びデータを提供する。メモリ３０６の一部はまた、不揮発性ランダムアクセスメモリ（ＮＶＲＡＭ）を含みうる。プロセッサ３０４は典型的に、メモリ３０６内に記憶されたプログラム命令に基づいて論理及び算術演算を遂行する。メモリ３０６内における命令は、本明細書において説明される方法を実施するために実行可能でありうる。
【００３８】
[0048]  ワイヤレス機器３０２はまた、ワイヤレス機器３０２と遠隔位置との間でのデータの送信及び受信を可能にするために送信機３１０及び／又は受信機３１２を含みうるハウジング３０８を含みうる。送信機３１０及び受信機３１２は、トランシーバ３１４に統合され得る。単数の又は複数の送信アンテナ３１６が、ハウジング３０８に取り付けられることができ、トランシーバ３１４に電気的に結合されることができる。ワイヤレス機器３０２はまた、（示されていない）複数の送信機と、複数の受信機と、複数のトランシーバとを含み得る。
【００３９】
[0049]  ワイヤレス機器３０２はまた、トランシーバ３１４によって受信された信号のレベルを検出し、定量化しようとするのに使用され得る信号検出器３１８を含み得る。信号検出器３１８は、そのような信号を、総エネルギー、シンボル当たりの副搬送波ごとのエネルギー、電力スペクトル密度及び他の信号として検出しうる。ワイヤレス機器３０２はまた、信号を処理する際に使用するための、デジタル信号プロセッサ（ＤＳＰ）３２０も含み得る。
【００４０】
[0050]  ワイヤレス機器３０２のさまざまなコンポーネントは、データバスに加えて、電力バス、制御信号バス、ステータス信号バスを含み得る、バスシステム３２２により、共に結合され得る。
【００４１】
例示的ＴＩＭ情報要素インジケータ
[0051]  通常、トラフィック指示マップ（ＴＩＭ）ＩＥは、どの局がＡＰ内にＭＳＤＵｓをバッファしたかを示すために使用されうる。ＴＩＭセグメンテーションはセグメント当たりの局のサブセットをサポートするために用いることができる。しかし、レガシー局は、ＴＩＭセグメンテーションをサポートしないかもしれない。ＴＩＭセグメンテーションは、また、ページスライシングとも呼ばれ得、複数のＩＥは同じページ内の局の異なるセットの情報を配送するために使用し得る。
【００４２】
[0052]  図４は、ＴＩＭセグメント４００中のページセグメンテーション（スライシング）の一例を示す。全体のＡＩＤスペースの中で、ページは局のサブセットを表すことができる。各々のページは多くのブロックを備え、その各々は１ページ内の局のサブセットを表すことができ、各々のブロックは多くのページスライスを備え、その各々は、１ブロック内の局のサブセットを表すことができる。セグメンテーション又はスライシングは、１つの配送ＴＩＭ（ＤＴＩＭ）ビーコン間隔内のＴＩＭセグメント（即ち、ページスライス）で実行し得る。セグメントの長さは、多数のＤＴＩＭセグメント間隔にわたって変化することができる。各順序づけられたページセグメントは、１つ以上のＴＩＭセグメントに順次割当てし得る。
【００４３】
[0053]  図５は、セグメントカウント（ページスライス）ＩＥのための例示的フレームフォーマット５００を示す。セグメントカウントＩＥは、あとに続くＴＭＩセグメントにページセグメントの割当てを示すために用いることができる。セグメントカウントＩＥは、要素ＩＤ、長さ、ページ期間、ページインデックス、ページスライス長、ページセグメントスライスカウント、ブロック・オフセット、ＴＩＭオフセット、予約フィールド、及びページビットマップフィールドを備える。要素ＩＤフィールドは、セグメント（ページスライス）カウントＩＥを識別することができる。長さフィールドは、ＩＥの長さを示すことができる。ページ期間フィールドは、関連ページのためのページスライス要素を搬送できるビーコン間のビーコン間隔の数の指示を提供することができる。ページインデックスフィールドは、ビーコンにおいて現在割り当てられるページの指示を提供することができる。ページスライス長フィールドは、関連するページのための各ＴＩＭに含まれるブロックの数を示すことができる。ページスライスカウントフィールドはページ期間でスケジュールされるＩＩＭスライスの数を示す。ブロックオフセットフィールドは、割り当てられたページセグメントの第１のブロックを示すことができる。ＴＩＭオフセットフィールドは割当てられたページのページスライス要素を搬送する特定ページの第１ページスライスのためのＴＩＭベーコンオフセットを示す。ページビットマップフィールドは、ＤＴＩＭ要素中の全てのページセグメントのブロックを備えることができる。
【００４４】
[0054]  図６は、ＩＥ内のＴＩＭセグメント数（ページスライス数）フィールドを含む例示的ＴＩＭ  ＩＥ  ６００を示す。ＴＩＭ  ＩＥは要素ＩＤ、長さ、ＤＴＩＭカウント、ＤＴＩＭ期間、ビットマップ制御及び部分的な仮想ビットマップ（又は、ＴＩＭセグメントビットマップ）を含むことができる。ビットマップ制御は、ＴＩＭセグメントのインデックスを示すＴＩＭセグメント数、予約ビット及びページインデックスを備えることができる。ＴＩＭ  ＩＥで覆われているＴＩＭビットマップ情報はＴＩＭセグメント開始及びＴＩＭセグメント終了値として計算し得る。ＴＩＭセグメント開始値は、次のように計算できる：
ＴＩＭセグメント開始＝ページオフセット＋（ページセグメントの長さ）＊（ＴＩＭセグメント番号−１））＋１
但し、ＴＩＭセグメント終了値は次のように計算し得る：
ＴＩＭセグメント開始＝ページオフセット＋ページセグメントの長さ＊ＴＩＭページセグメント番号
【００４５】
[0055]  図７は、  ＴＩＭセグメンテーション（ページスライシング）７００の一例を示している。ビーコンは、全てのページセグメントにおける局のための第１のページセグメント及びセグメントカウントＩＥを含むことができる。連続の短いビーコンは、付加ページセグメントを送信することができる。ページセグメントは、ビーコンが第１のページを送信し、第１の短いビーコンは第２のページセグメントを送信するなどのように、逐次送信し得る。
【００４６】
[0056]  ＴＩＭ要素は、どんなコンテキストもなくて、ＴＩＭセグメントをサポートしない局に対して無意味となり得るＴＩＭセグメント（ページスライス）番号を含むことができる。更に、ＴＩＭセグメンテーションをサポートしない局は局がどのＴＩＭを読取り、構文解析すべきかを知り得ない。
【００４７】
[0057]  現在の開示の幾つかの態様によれば、ＴＩＭは、ＴＩＭがＴＩＭセグメンテーションをサポートする局を意図しているのか、ＴＩＭセグメンテーションをサポートしない局を意図しているのかを示すことができる１つ以上の値を含むことができる。例えば、指示はＴＩＭセグメンテーション番号の予約値、新規フィールド、フラグビット又は新規要素ＩＤを有するＴＩＭ要素であり得る。
【００４８】
[0058]  図８は、現在の開示の幾つかの態様に従って、ＡＰによって実行されることができる例示的動作８００を示す。動作８００は８０２で開始することができ、そこでは、ＡＰは情報要素（ＩＥ）を生成する。８０４で、ＡＰはＩＥがセグメンテーションをサポートする局のためであるか否かの指示を提供する。
【００４９】
[0059]  図９は、現在の開示の幾つかの態様に従って、受信機によって実行されることができる例示的動作９００を示す。動作９００は９０２で開始することができ、そこでは、受信機はＩＥを取得する。９０４で、受信機はＩＥがセグメンテーションをサポートする局のためであるか否かを決定する。
【００５０】
[0060]  ＩＥは、ＴＩＭ  ＩＥであり得る。ＴＩＭ  ＩＥがセグメンテーションをサポートする局のためであるか否かの指示がＴＩＭ  ＩＥにおけるＴＩＭセグメント番号の１つ以上の所定のビットシーケンスを介して提供し得る。１つ以上の所定のビットシーケンスは、全ての０又は全ての１のうちの少なくとも１つを備えることができる。
【００５１】
[0061]  ＩＥがセグメンテーションをサポートする局のためであるか否かの指示がＩＥのフィールドを１つ以上の所定のビットシーケンスに設定することを必要となり得る。フィールドは、ＩＥがセグメンテーションをサポートしない局のためであることを示すため1つ以上の所定のビットシーケンス以外の値にセットされることができる。
【００５２】
[0062]  例えば、５ビットのシーケンスがページスライスを識別するために用いる場合、０〜３１のページスライスＩＤを提供する。場合によっては、３１（１１１１１）のような予約値がセグメンテーションをサポートしない局のためであることを示すために用いることができる。その一方で、残りの値０−３０はセグメンテーションをサポートする局のためであることを示すために用いることができる。
【００５３】
[0063]  幾つかの態様において、ＡＰは、ＴＩＭ  ＩＥがページスライシングをサポートしない局のためであることを示すシーケンスを用いてＴＩＭセグメンテーション（ページスライシング）をサポートする局のためのＴＩＭ情報を含むＩＥを送信できる。幾つかの態様において、ＴＩＭ  ＩＥがページスライシングをサポートしない局のためであることを示すシーケンスを用いるＩＥがページスライシングをサポートする局のサブセットのための情報を含むこともできる。ＴＩＭセグメンテーション（ページスライシング）をサポートしない機器が、セグメンテーション（ページスライシング）をサポートしない局のために使用される予約されたページスライス番号（例えば上記例では５ビットで３１））を含む１つ以上のＴＩＭページを調べるように構成し得る。幾つかのケースでは、ＴＩＭセグメンテーション（ページスライシング）をサポートする機器は、局が割当てられるページスライス番号を含む複数のＩＥ及びセグメンテーションをサポートしない局のために使用されるページスライス番号を含むＩＥの両方を調べるように構成し得る。そのような機器が予約された及び予約されないページスライス番号の両方を有する複数のＩＥを調べることはページスライシングをサポートしない複数のＡＰがページスライシングをサポートする機器と通信することを可能にする。
【００５４】
[0064]ＩＥがセグメンテーションをサポートする局のためであるか否かの指示がＩＥのフォーマットタイプを介して提供されることができる。第１のフォーマットタイプはＩＥがセグメンテーションをサポートしない局のためであることを示すことができ、その一方で、第２のフォーマットタイプは、ＩＥがセグメンテーションをサポートすることを示すことができる。
【００５５】
[0065]  ＩＥがセグメンテーションをサポートする局のためであるか否かの指示がＩＥの一つ以上のフラグビットを介して提供されることができる。
【００５６】
[0066]  ＩＥがセグメンテーションをサポートする局のためであるか否かの指示は、ＩＥが送信されたビーコンにおいて生じる順序を介して提供し得る。例えば、指示はビーコンの他の複数のＩＥの前にセグメンテーションをサポートしない局のためのＩＥを配置することを備えることができる。
【００５７】
[0067]上記した方法のさまざまな動作は、対応する機能を実行することができるいかなる適切な手段にもよって実行されることができる。手段には、さまざまなハードウェア及び／又はソフトウェアコンポーネント（１つ又は複数）及び／又は回路に限定されないが特定用途向け集積回路（ASIC）又はプロセッサを含むモジュール（１つ又は複数）を含めることができる。一般的に、図に例示される動作がある場合に、それらの動作は類似した番号付けを有する対応する同等のミーンズプラスファンクション構成要素を有することができる。例えば、図  ８及び９に例示される動作８００及び９００は、それぞれ、図８Ａ及び９Ａに例示される図８００Ａ及び９００ＡＡに例示した手段に対応する。
【００５８】
[0068]  例えば、送信するための手段は、図２において例示されるＡＰ１１０の送信機（例えば送信機ユニット２２２）及び／又は（１つ又は複数）アンテナ２２４又は図３において示される送信機３１０及び／又は（１つ又は複数）アンテナ３１６を含むことができる。受信するための手段は、図２に例示されるＡＰ１１０の受信機（例えば受信機ユニット２２２）及び／又は（１つ又は複数）アンテナ２２４又は図３に描かれた受信機３１２及び／又は（１つ又は複数）アンテナ３１６を備えることができる。処理のための手段、決定するための手段、検出するための手段、走査のための手段、選択のための手段又は動作を終了するための手段は、処理システムを構成することができ、それは、図２において例示されている、ＲＸデータプロセッサ２４２、ＴＸデータプロセッサ２１０及び／又はＡＰ１１０のコントローラ２３０又は図３に描かれているプロセッサ３０４及び／又はＤＳＰ３２０のような１つ以上のプロセッサを含むことができる。
【００５９】
[0069]  幾つかの態様によれば、この種の手段は、高速関連付けを実行するために上記したさまざまなアルゴリズム（例えば、ハードウェアで又はソフトウェア命令を実行することによって）対応する機能を実行するように構成される処理システムによって実装されることができる。例えば、ウエイクヤップ期間を識別するための手段は、（例えば、ＩＥを介した）構成に基づいて、ウエイクアップ期間を識別するアルゴリズムを実行している処理システムによって実行されることができ、ウエイクアップ期間にラジオ機能を可能にするかを決定するための手段は、ウエイクアップ期間及びデータの提示が指示されていたかどうかを入力として取るアルゴリズム実行する（同じ又は異なる）処理システムによって実装され得、一方、ラジオ機能を可能にするための手段は決定するための手段からの決定を、入力として、取込み、従ってラジオ機能を有効／無効にするための信号を生成するアルゴリズムを実行する（同じ又は異なる）プロセッサシステムを実装し得る。
【００６０】
[0070]  ここで使用しているように、用語「決定すること(determining)」は、多種多様な動作を含む。例えば、「決定すること」は、算出すること（calculating）、計算すること（computing）、処理すること（processing）、抽出すること（deriving）、調査すること（investigating）、検索すること（looking up）（例えば、テーブル、データベース又は他のデータ構造で検索すること）、確定すること（ascertaining）などを含むことができる。また、「決定すること」は受信（例えば、情報を受信すること）、アクセスすること（accessing）（例えば、メモリのデータにアクセスすること）などを含み得る。また、「決定すること」は解決すること（resolving）、選定すること（selecting）、選択すること（choosing）、確立すること（establishing）などを含むことができる。
【００６１】
[0071]  ここにおいて使用される場合、項目のリスト「のうちの少なくとも１つ」という表現は、単一の要素を含む、それらの項目の任意の組み合わせを指す。例として, 「ａ、ｂ、又はｃのうちの少なくとも１つ」は、ａ、ｂ、ｃ、ａ−ｂ、ａ−ｃ、ｂ−ｃ、及びａ−ｂ−ｃをカバーすることを意図される。
【００６２】
[0072]  本開示に関連して説明された、さまざまな例示的な論理ブロック、モジュール、及び回路は、本明細書において説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブル論理機器（ＰＬＤ）、離散ゲート又はトランジスタ論理、離散ハードウェアコンポーネント、又はそれらの任意の組み合わせを用いて、実現又は実行されることができる。汎用プロセッサは、マイクロプロセッサでありうるが、代替として、このプロセッサは、任意の商業的に利用可能なプロセッサ、コントローラ、マイクロコントローラ、又はステートマシン（state machine）でありうる。プロセッサはまた、計算機器の組み合わせ、例えば、ＤＳＰ及びマイクロプロセッサの組み合わせ、複数のマイクロプロセッサ、ＤＳＰコアと連携した１つ又は複数のマイクロプロセッサ、又は任意の他のそのような構成として実現されうる。
【００６３】
[0073]  １つ又は複数の態様において、説明された機能は、ハードウェア、ソフトウェア、ファームウェア、又はそれらの任意の組み合わせにおいて実現されうる。ソフトウェア内においてインプリメントされる場合、機能は、コンピュータ可読媒体上における１つ又は複数の命令又はコードとして記憶又は送信されうる。コンピュータ可読媒体は、コンピュータ記憶媒体と１つの場所から別の場所へのコンピュータプログラムの転送を容易にする任意の媒体を含む通信媒体との両方を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ又は他の光ディスク記憶装置、磁気ディスク記憶装置又は他の磁気記憶機器、又は命令若しくはデータ構造の形で所望のプログラムコードを搬送又は記憶するために使用されることができ、コンピュータによってアクセスされることができる任意の他の媒体を備えることができる。また、任意の接続は、厳密にはコンピュータ可読媒体と称される。例えば、ソフトウェアがウェブサイト、サーバ、又は他の遠隔ソースから、同軸ケーブル、光ファイバーケーブル、ツイストペア、デジタル加入者回線（ＤＳＬ）、又は赤外線、無線、及びマイクロ波のようなワイヤレス技法を使用して送信される場合、同軸ケーブル、光ファイバーケーブル、ツイストペア、ＤＳＬ、若しくは赤外線、無線、及びマイクロ波のようなワイヤレス技法は送信媒体の定義に含まれている。ディスク（disk）及びディスク（disc）は、本明細書で使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、及びＢｌｕ−ｒａｙ（登録商標）ディスク（disc）を含み、ここにおいて、ディスク（disk）は通常、データを磁気的に再生するが、一方でディスク（disc）は、レーザーを用いて光学的にデータを再生する。このように、幾つかの態様において、コンピュータ可読媒体は、非一時的コンピュータ可読媒体（例えば、有形媒体）を備えうる。加えて、幾つかの態様において、コンピュータ可読媒体は、一時的コンピュータ可読媒体（例えば、信号）を備えうる。上記の組み合わせはまた、コンピュータ可読媒体の範囲内に含まれるべきである。
【００６４】
[0074]このように、ある特定の態様は、本明細書において提示された動作を遂行するためのコンピュータプログラム製品を備えうる。例えば、こういったコンピュータプログラムプロダクトは、そこに格納された（及び／又はエンコードされた命令）を有するコンピュータ可読媒体を備えても良く、その命令は、ここに記載された動作を実行するために１つ又は複数のプロセッサによって実行可能である。ある態様のために、コンピュータプログラム製品は、パッケージ材料を含み得る。
【００６５】
[0075]  本明細書に開示された方法は、説明された方法を達成するための１つ又は複数のステップ又は動作を備える。方法のステップ及び／又は動作は、特許請求の範囲から逸脱することなく互いに置き換えられうる。即ち、ステップ又は動作の特定の順序が指定されない限り、特定のステップ及び／又は動作の順序及び／又は使用は、本願の特許請求の範囲から逸脱せずに変更され得る。
【００６６】
[0076]  ソフトウェア又は命令はまた、送信媒体を介して送信され得る。例えば、ソフトウェアが、同軸ケーブル、光ファイバーケーブル、ツイストペア、デジタル加入者回線（ＤＳＬ）、又は赤外線、電波、及びマイクロ波のようなワイヤレス技術を使用して、ウェブサイト、サーバ、又は他の遠隔ソースから送信される場合、この同軸ケーブル、光ファイバーケーブル、ツイストペア、ＤＳＬ、又は赤外線、電波、及びマイクロ波のようなワイヤレス技術は、媒体の定義に含まれる。
【００６７】
[0077]  更に、ここに説明された方法及び技法を実行するためのモジュール及び／又は他の適切な手段が、ダウンロードされることができること、及び／又は、そうでなければ、ユーザ端末及び／又は基地局によって、適用可能に得られることが理解されるべきである。例えば、そのような機器は、本明細書で説明された方法を遂行するための手段の転送を容易にするためにサーバに結合されることができる。代替として、本明細書で説明された様々な方法は、機器に記憶手段を結合又は提供する際にユーザ端末及び／又は基地局が様々な方法を取得することができるように、記憶手段（例えば、ＲＡＭ、ＲＯＭ、コンパクトディスク（ＣＤ）又はフロッピーディスクのような物理記憶媒体、等）を介して提供されることができる。更に、ここで説明された方法及び技法を機器に提供するためのその他任意の適切な技法が、利用されうる。
【００６８】
[0078]  特許請求の範囲は、上記に例示されたとおりの構成及びコンポーネントに限定されないことが理解されるべきである。様々な修正、変更、及び変形が、上記に説明された方法及び装置の配置、動作及び詳細において、特許請求の範囲から逸脱することなく行われうる。
【図１】
2017507514.tif 000003
【図２】
2017507514.tif 000004
【図３】
2017507514.tif 000005
【図４】
2017507514.tif 000006
【図５】
2017507514.tif 000007
【図６】
2017507514.tif 000008
【図７】
2017507514.tif 000009
【図８】
2017507514.tif 000010
【図８Ａ】
2017507514.tif 000011
【図９】
2017507514.tif 000012
【図９Ａ】
2017507514.tif 000013
【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
情報要素（ＩＥ）を生成することと、
前記ＩＥがセグメンテーションをサポートする機器のためであるか否かの指示を提供することと、
を行うように構成された処理システムと、ここにおいて、前記指示が前記ＩＥのフィールドの１つ以上のビットシーケンスを介して提供され、前記フィールドの前記ビットシーケンスが、前記ＩＥがセグメンテーションをサポートしない機器のためであることを示すために前記１つ以上のビットシーケンスのうちの１つに設定されるか、又は、前記ＩＥがセグメンテーションをサポートする機器のためであることを示すために前記１つ以上のビットシーケンス以外の値に設定され、
前記ＩＥを送信するように構成された送信機と
を備える、装置。
【請求項２】
前記ＩＥはトラフィック指示マップ（ＴＩＭ）ＩＥである、請求項１に記載の装置。
【請求項３】
前記処理システムが、
前記ＩＥがセグメンテーションをサポートしない機器のためであること及び前記ＩＥがセグメンテーションをサポートする前記機器のサブセットのための情報を含むことを示すために前記１つ以上のビットシーケンスのうちの１つに前記フィールドのビットシーケンスを設定するように構成される、請求項１に記載の装置。
【請求項４】
前記送信機に結合されたアンテナを更に備え、前記送信機は、前記アンテナを介して前記ＩＥを送信するように構成され、前記装置はアクセスポイントとして構成される、請求項１に記載の装置。
【請求項５】
ワイヤレス通信のための装置であって、
情報要素（ＩＥ）を生成することと、
前記ＩＥがセグメンテーションをサポートする機器のためであるか否かの指示を提供することと、
を行うように構成された処理システムと、ここにおいて、前記ＩＥはトラフィック指示マップＩＤであり、前記指示がＴＩＭ  ＩＥのＰａｇｅ  Ｓｌｉｃｅ  Ｎｕｍｂｅｒフィールドの１つ以上のビットシーケンスを介して提供され、前記１つ以上のビットシーケンスが全ての０又は全ての１のうちの少なくとも１つを備え、
前記ＩＥを送信するように構成された送信機と
を備える、装置。
【請求項６】
前記送信機に結合されたアンテナを更に備え、前記送信機は、前記アンテナを介して前記ＩＥを送信するように構成され、前記装置はアクセスポイントとして構成される、請求項４に記載の装置。
【請求項７】
ワイヤレス通信のための装置であって、
情報要素（ＩＥ）を生成することと、
前記ＩＥがセグメンテーションをサポートする機器のためであるか否かの指示を提供することと、
を行うように構成された処理システムと、ここにおいて、前記指示が前記ＩＥのフォーマットタイプを介して提供され、第１のフォーマットタイプは、前記ＩＥがセグメンテーションをサポートしない機器のためであることを示し、第２のフォーマットタイプは、前記ＩＥがセグメンテーションをサポートする機器のためであることを示し、
前記ＩＥを送信するように構成された送信機と
を備える、装置。
【請求項８】
ワイヤレス通信のための装置であって、
情報要素（ＩＥ）を取得するように構成された受信機と、
前記ＩＥがセグメンテーションをサポートする機器のためであるか否かを決定すること、
を行うように構成された処理システムと
を備え、前記決定が前記ＩＥのフィールドが１つ以上の予約されたビットシーケンスに設定されるか否かに基づいており、前記フィールドのビットシーケンスが前記予約されたシーケンスの１つに設定される場合、前記ＩＥがセグメンテーションをサポートしない機器のためであり、前記フィールドの前記ビットシーケンスが前記１つ以上の予約されたシーケンス以外の値に設定される場合、前記ＩＥがセグメンテーションをサポートする機器のためである、装置。
【請求項９】
前記１つ以上の予約されたビットシーケンスが前記装置によって知られている、請求項８に記載の装置。
【請求項１０】
前記処理システムは、
前記ＩＥがセグメンテーションをサポートしない機器のためであって、前記フィールドのビットシーケンスが前記１つ以上の予約されたビットシーケンスのうちの１つに設定される場合、セグメンテーションをサポートする前記機器のサブセットのための情報を含むと決定するように構成される、請求項８に記載の装置。
【請求項１１】
前記処理システムは、前記ＩＥがセグメンテーションをサポートしない機器のためであると決定される場合であっても、前記ＩＥを処理するように構成される、請求項８に記載の装置。
【請求項１２】
前記受信機に結合されたアンテナを更に備え、前記受信機は、前記アンテナを介して前記ＩＥを受信するように構成され、前記装置はユーザ端末として構成される、請求項８に記載の装置。
【請求項１３】
ワイヤレス通信のための装置であって、
情報要素（ＩＥ）を取得するように構成された受信機と、ここにおいて、前記ＩＥはトラフィック指示マップ（ＴＩＭ）ＩＥであり、
前記ＩＥがセグメンテーションをサポートする機器のためであるか否かを決定すること
を行うように構成された処理システムと
を備え、前記決定がＴＩＭ  ＩＥのＰａｇｅ  Ｓｌｉｃｅ  Ｎｕｍｂｅｒフィールドの１つ以上のビットシーケンスに基づいており、前記１つ以上のビットシーケンスが全ての０又は全ての１の少なくとも１つを備え、前記決定が、前記ＩＥがセグメンテーションをサポートする機器のためでないと決定することを備える、装置。
【請求項１４】
前記処理システムは、前記ＩＥがセグメンテーションをサポートしない機器のためであると決定される場合であっても、前記ＩＥを処理するように構成される、請求項１３に記載の装置。
【請求項１５】
前記受信機に結合されたアンテナを更に備え、前記受信機は、前記アンテナを介して前記ＩＥを受信するように構成され、前記装置はユーザ端末として構成される、請求項１３に記載の装置。
【請求項１６】
ワイヤレス通信のための装置であって、
情報要素（ＩＥ）を受信するように構成された受信機と、
前記ＩＥがセグメンテーションをサポートする機器のためであるか否かを決定すること
を行うように構成された処理システムと
を備え、前記決定は前記ＩＥのフォーマットタイプに基づいており、第１のフォーマットタイプは、前記ＩＥがセグメンテーションをサポートしない機器のためであることを示し、第２のフォーマットタイプは、前記ＩＥがセグメンテーションをサポートする機器のためであることを示す、装置。
【請求項１７】
ワイヤレス通信のための装置であって、
情報要素（ＩＥ）を含むビーコンを受信するように構成された受信機と、
前記ＩＥがセグメンテーションをサポートする機器のためであるか否かを決定すること
を行うように構成された処理システムと
を備え、前記決定は、前記ＩＥが前記ビーコンで生じる順序に基づいており、前記処理システムは、前記ＩＥが前記ビーコンの他のＩＥの前に生じる場合、前記ＩＥがセグメンテーションをサポートしない機器のためであると決定する、装置。
【手続補正２】
【補正対象書類名】明細書
【補正対象項目名】００６８
【補正方法】変更
【補正の内容】
【００６８】
[0078]  特許請求の範囲は、上記に例示されたとおりの構成及びコンポーネントに限定されないことが理解されるべきである。様々な修正、変更、及び変形が、上記に説明された方法及び装置の配置、動作及び詳細において、特許請求の範囲から逸脱することなく行われうる。
以下に、本願出願の当初の特許請求の範囲に記載された発明を付記する。
［Ｃ１］
無電通信のための装置であって、
情報要素（ＩＥ）を生成することと、
ＩＥがセグメンテーションをサポートする機器のためであるか否かの指示を提供することと、
を行うように構成された処理システムを備える、装置。
［Ｃ２］
前記ＩＥはトラフィック指示マップ（ＴＩＭ）ＩＥである、Ｃ１に記載の装置。
［Ｃ３］
前記指示は前記ＴＩＭ  ＩＥのＰａｇｅ  Ｓｌｉｃｅ  Ｎｕｍｂｅｒフィールドの１つ以上のビットシーケンスを介して提供される、Ｃ２に記載の装置。
［Ｃ４］
１つ以上ビットシーケンスが全ての０又は全ての１のうちの少なくとも１つを備える、Ｃ３に記載の装置。
［Ｃ５］
前記指示が前記ＩＥのフィールドの１つ以上のビットシーケンスを介して提供される、Ｃ１に記載の装置。
［Ｃ６］
前記処理システムが、
前記ＩＥがセグメンテーションをサポートしない機器のためであることを示すために１つ以上ビットシーケンスのうちの１つにフィールドの１ビットシーケンスを設定すること、
又は、ＩＥがセグメンテーションをサポートする機器のためであることを示すために前記１つ以上ビットシーケンス以外の値に前記フィールドのビットシーケンスを設定すること、
を行うように構成される、Ｃ５に記載の装置。
［Ｃ７］
前記処理システムが、
前記ＩＥがセグメンテーションをサポートしない機器のためであることを示すために前記１つ以上のビットシーケンスのうちの１つに前記フィールドのビットシーケンスを設定するように構成される、Ｃ６に記載の装置。
［Ｃ８］
前記指示が前記ＩＥのフォーマットタイプを介して提供され、
第１のフォーマットタイプは、前記ＩＥがセグメンテーションをサポートしない機器のためであることを示し、又は
第２のフォーマットタイプは、前記ＩＥがセグメンテーションをサポートする機器のためであることを示す、Ｃ１に記載の装置。
［Ｃ９］
前記指示が前記ＩＥの１つ以上のフラグビットを介して提供される、Ｃ１に記載の装置。
［Ｃ１０］
前記指示は、前記ＩＥが装置によって送信されるビーコンで生じる順序を介して提供されるＣ１に記載の装置。
［Ｃ１１］
前記処理システムは、
前記ＩＥが、前記ビーコンの他のＩＥの前にＩＥを配置することによってセグメンテーションをサポートしない機器のためであることを示すように構成される、Ｃ１０に記載の装置。
［Ｃ１２］
無線通信のための方法であって、
情報要素（ＩＥ）を生成することと、
前記ＩＥがセグメンテーションをサポートする局のためであるか否かの指示を提供することと、
を備える、方法。
［Ｃ１３］
前記ＩＥはトラフィック指示マップ（ＴＩＭ）ＩＥである、Ｃ１２に記載の方法。
［Ｃ１４］
前記指示は前記ＴＩＭ  ＩＥのＰａｇｅ  Ｓｌｉｃｅ  Ｎｕｍｂｅｒフィールドの１つ以上のビットシーケンスを介して提供される、Ｃ１３に記載の方法。
［Ｃ１５］
前記ＩＥがセグメンテーションをサポートしない機器のためであることを示すために１つ以上ビットシーケンスのうちの１つにフィールドの１ビットシーケンスを設定すること、
又は、ＩＥがセグメンテーションをサポートする機器のためであることを示すために前記１つ以上ビットシーケンス以外の値に前記フィールドのビットシーケンスを設定すること、
を備える、Ｃ１４に記載の方法。
［Ｃ１６］
無線通信のための装置であって、
情報要素（ＩＥ）を生成することと、
前記ＩＥがセグメンテーションをサポートする機器のためであるか否かを決定することと、
を行うように構成された処理システムを備える、装置。
［Ｃ１７］
前記ＩＥはトラフィック指示マップ（ＴＩＭ）ＩＥであり、前記決定がＰａｇｅ  Ｓｌｉｃｅ  Ｎｕｍｂｅｒフィールドの１つ以上のビットシーケンスに基づく、Ｃ１６に記載の装置。
［Ｃ１８］
前記１つ以上ビットシーケンスが全ての０又は全ての１の少なくとも１つを備え、前記決定が、前記ＩＥがセグメンテーションをサポートする機器のためでないと決定することを備える、Ｃ１７に記載の装置。
［Ｃ１９］
前記決定が前記ＩＥのフィールドが前記装置によって知られている１つ以上のビットシーケンスにセットされるか否かに基づいている、Ｃ１５に記載の装置。
［Ｃ２０］
前記処理システムは、
前記フィールドのビットシーケンスが前記１つ以上の予約されたビットシーケンスの１つに設定される場合、前記ＩＥがセグメンテーションをサポートしない機器のためであることを決定すること
又は、ＩＥがセグメンテーションをサポートする機器のためであることを示すために前記１つ以上ビットシーケンス以外の値に前記フィールドのビットシーケンスを設定すること、
を行うように構成される、Ｃ１に記載の装置。
［Ｃ２１］
前記処理システムは、
前記ＩＥがセグメンテーションをサポートしない機器のためにあって、前記フィールドのビットシーケンスが１つ以上の予約されたビットシーケンスのうちの１つに設定される場合、セグメンテーションをサポートする機器のサブセットのための情報を含むと決定するように構成される、Ｃ２０に記載の装置。
［Ｃ２２］
前記処理システムは、前記ＩＥがセグメンテーションをサポートしない機器のためのあると決定される場合であっても、前記ＩＥを処理するように構成される、Ｃ１６に記載の装置。
［Ｃ２３］
前記決定は前記ＩＥのフォーマットタイプに基づいており、
第１のフォーマットタイプは、前記ＩＥがセグメンテーションをサポートしない機器のためであることを示し、
又は、第２のフォーマットタイプは、前記ＩＥがセグメンテーションをサポートする機器のためであることを示す、Ｃ１６に記載の装置。
［Ｃ２４］
前記決定が前記ＩＥの１つ以上のフラグビットに基づく、Ｃ１６に記載の装置。
［Ｃ２５］
前記ＩＥを備えるビーコンを取得し、前記決定は前記ＩＥが前記装置によって取得されたビーコンに生じる順序に基づいている、Ｃ１６に記載の装置。
［Ｃ２６］
前記ＩＥが前記ビーコンの他のＩＥの前に生じる場合、セグメンテーションをサポートしない機器のためであると決定するように構成される、Ｃ２３に記載の装置。
［Ｃ２７］
ワイヤレス通信のための方法であって、
情報要素（ＩＥ）を生成することと、
前記ＩＥがセグメンテーションをサポートする局のためであるか否かを決定することと、
を備える、方法。
［Ｃ２８］
前記ＩＥはトラフィック指示マップ（ＴＩＭ）ＩＥであり、前記決定することが前記ＴＩＭ  ＩＥのＰａｇｅ  Ｓｌｉｃｅ  Ｎｕｍｂｅｒフィールドの１つ以上のビットシーケンスに基づく、Ｃ２７に記載の装置。
［Ｃ２９］
前記フィールドのビットシーケンスが１つ以上の予約されたビットシーケンスのうちの１つに設定される場合、前記ＩＥは、セグメンテーションをサポートしない機器のためにあると決定すること、
又は前記フィールドのビットシーケンスが前記１つ以上の予約されたビットシーケンス以外の値に設定される場合に、前記ＩＥが、セグメンテーションをサポートする機器のためにあると決定すること
を備える、Ｃ２８に記載の方法。
［Ｃ３０］
前記ＩＥがセグメンテーションをサポートしない機器のためであると決定される場合であっても、前記ＩＥを処理することを更に備える、Ｃ２７に記載の方法。
【国際調査報告】
2017507514.tif 000014
2017507514.tif 000015
2017507514.tif 000016